(57)【要約】  【課題】貯蔵庫の扉の開閉状態や貯蔵庫の扉に生じたわずかな隙間を確実に検知できるようにする。  【解決手段】貯蔵庫の扉７ａ、７ｂ、７ｃ、７ｄの内側周辺に、パッキング材１１を設け、このパッキング材１１と対向する貯蔵庫本体１の前面や仕切り壁５の前面位置に、微弱な光をも検知できる各貯蔵室の光検出手段１３ａ、１３ｂ、１３ｃ、１３ｄをそれぞれ設けることにより、各室の光検出手段１３ａ、１３ｂ、１３ｃ、１３ｄそれぞれが感知する光の強さや光を感知した時間の長さにより、扉７ａ、７ｂ、７ｃ、７ｄの開閉状態や密閉状態を検知できる貯蔵庫を提供するものである。【選択図】図２
2008070002.tif 000002
【特許請求の範囲】
【請求項１】
複数の貯蔵室を有する貯蔵庫本体と、前記各貯蔵室の開口部を開閉する扉と、前記扉の内側周囲に設けられたパッキング材と、前記パッキング材と対向する位置に設けられた光検出手段を具備し、前記光検出手段が感知する光により前記パッキング材の密閉状態を検知する貯蔵庫。
【請求項２】
前記光検出手段を微弱な光にも反応するものとし、前記光検出手段により、前記扉の隙間を検知する請求項１に記載の貯蔵庫。
【請求項３】
前記光検出手段を、前記パッキング材と対向する前記貯蔵室の前面であって扉を開閉する際に手をかける取手位置近傍に設けた請求項１または２に記載の貯蔵庫。
【請求項４】
前記貯蔵庫本体に、前記貯蔵室内を照明する庫内灯および庫内ファンを設け、前記光検出手段の光検知により前記庫内灯および前記庫内ファンの運転を停止する請求項１から３のいずれか一項に記載の貯蔵庫。
【請求項５】
前記光検出手段の反応状態を監視する監視手段および報知手段を備え、前記光検出手段が光を感知した状態が一定時間経過すると前記監視手段により前記報知手段を動作させる請求項１から４のいずれか一項に記載の貯蔵庫。
【請求項６】
前記監視手段により、前記光検出手段が感知した光の強さが一定以上の扉開放状態と、前記光検出手段が反応した光の強さが一定以下の扉隙間形成状態を判断し、前記それぞれの状態に応じて前記報知手段の動作を異ならせた請求項４に記載の貯蔵庫。
【請求項７】
前記光検出手段が感知した信号を無線で送信する送信手段を具備した請求項１から６のいずれか一項に記載の貯蔵庫。
【発明の詳細な説明】
【技術分野】
【０００１】
本発明は、貯蔵室の扉の密閉状態を検知する扉開閉検知スイッチを備えた貯蔵庫に関するものである。
【背景技術】
【０００２】
近年、地球環境に対する要求がますます強まってきており、省エネが強く要望されている。特に冷蔵庫等の貯蔵庫においては、例えば、扉の密閉状態を検知する扉開閉検知スイッチを用いて扉の開閉を検知することにより、庫内の照明や冷却サイクルの運転を必要な時のみに行うようにし、消費電力量を抑える取組みが行われている。
【０００３】
従来、この種の貯蔵庫の一例として、冷蔵庫に扉の開閉を検知する機械的な扉開閉検知スイッチを設け、この扉開閉検知スイッチが作動することにより、冷蔵庫の庫内灯を点灯したりしているものがある（例えば、特許文献１参照）。
【０００４】
また、他の例として、冷蔵庫の扉開閉検知スイッチとして、小型化が容易な電子式を採用し、扉の一部に検知用の磁石を取付け、冷蔵庫本体に感知器を取付けることにより冷蔵庫の扉の開閉を検知しているものがある（例えば、特許文献２参照）。
【０００５】
以下、図面を参照しながら上記従来の冷蔵庫について説明する。
【０００６】
図７は、上記特許文献１に記載された従来の冷蔵庫の要部断面図である。図８は、同特許文献１に記載された従来の冷蔵庫における扉開閉検知スイッチの縦断面図である。
【０００７】
図７および図８に示すように、機械的な扉開閉検出スイッチを設けた冷蔵庫は、一般的に冷蔵庫本体が外箱１０１、内箱１０２、外箱１０１と内箱１０２の間に充填された断熱材１０３により構成されている。
【０００８】
そして、扉１０４の全周に取付けられたパッキング材１０５により、冷蔵庫の扉１０４を閉じた際には、扉１０４は冷蔵庫本体と隙間なく密着し、貯蔵室１０６を構成するようになっている。さらに、冷蔵庫の貯蔵室１０６における前面開口部１０７の近傍には、扉開閉検知スイッチ１０８が設けられている。
【０００９】
冷蔵庫に設けられた扉開閉検知スイッチ１０８は、貯蔵室の扉１０４が閉まっている状態では、スイッチ作動部１０９が弾性部材１１０の弾性力に抗して内部に押し込まれている状態となり、スイッチ作動レバー１１１がスイッチ接点部１１２を押圧し、冷蔵庫は庫内灯を含むスイッチオフ時の運転を行うこととなる。
【００１０】
また、貯蔵室の扉１０４を開いた状態では、スイッチ作動部１０９が弾性部材１１０の弾性力によって押し出された状態となり、スイッチ作動レバー１１１がスイッチ接点部１１２から外れ、冷蔵庫は庫内灯を含むスイッチオン時の運転を行うこととなる。
【００１１】
図９は特許文献２に記載された従来の冷蔵庫の要部断面図である。
【００１２】
図９において、特許文献１の冷蔵庫と同様に、特許文献２に記載された従来の冷蔵庫本体は、外箱、内箱、およびその間に充填された断熱材によって構成されている。
【００１３】
図９に示すように、冷蔵庫の扉１２０ａ、１２０ｂ内にも断熱材１２１が充填されており、扉１２０ａ，１２０ｂの全周に取付けられたパッキング材１２２により冷蔵庫の扉１２０ａ、１２０ｂを閉じた際には冷蔵庫本体と隙間なく密着し、貯蔵室１２３ａ、１２３ｂを構成するようになっている。
【００１４】
扉１２０ａ、１２０ｂは、開閉の際、前後に引き出す引出式の開閉扉１２０ａ、１２０ｂであり、レール１２４とローラー１２５により摺動可能となっている。貯蔵室１２３ａ、１２３ｂは、断熱材１２１が充填された仕切り壁１２６によって隔てられており、貯蔵室１２３ａ、１２３ｂをそれぞれ違った温度帯に区分している。
【００１５】
次に、冷蔵庫に設けられた電子式の扉開閉検知スイッチについて説明する。扉１２０ｂの上面一端には磁石収納部１２７が設けられており、磁石１２８を収納している。磁石１２８と対向する位置には、磁石１２８を感知する電子スイッチ１２９が設けられている。
【００１６】
したがって、貯蔵室１２３ｂの扉１２０ｂが閉まっている状態では、磁石１２８が電子スイッチ１２９に接近した状態となり、電子スイッチ１２９が磁石１２８を感知し、冷蔵庫は庫内灯を含むスイッチオフ時の運転を行うこととなる。
【００１７】
また、貯蔵室１２３ｂの扉１２０ｂを開いた状態では、磁石１２８は電子スイッチ１２９と離れるので、電子スイッチ１２９は磁石１２８を感知せず、冷蔵庫は庫内灯を含むスイッチオン時の運転を行うこととなる。
【特許文献１】特開２００２−２３１０７９号公報
【特許文献２】特開平８−３０３９４５号公報
【発明の開示】
【発明が解決しようとする課題】
【００１８】
しかしながら、これら従来の冷蔵庫の構成では、扉１０４、１２０ａ、１２０ｂに設けられたパッキング材１０５、１２２の状態や、扉１０４、１２０ａ、１２０ｂ部分に薄い物が挟まってできるパッキング材１０５、１２２のわずかな隙間までを検知することができず、扉１０４、１２０ａ、１２０ｂと冷蔵庫本体とのごく狭い扉１０４、１２０ａ、１２０ｂの開状態が検知できないという課題があった。
【００１９】
このわずかな隙間を放置しておくと、冷蔵庫内の冷気が庫外に漏出してしまい、冷蔵庫の庫内温度の上昇や、効率の低下、冷蔵庫内の着霜などの不具合が発生する等の課題があった。
【００２０】
さらに、機械的な扉開閉検知スイッチ１０８を用いた冷蔵庫は、扉開閉検知スイッチ１０８自体の部品点数が多い上に、扉開閉検知スイッチ１０８の配置スペースが大きくなってしまうという課題があった。また、機械的な扉開閉検知スイッチ１０８を取付ける際、スイッチ作動部１０９を突き出し、残りの部分は冷蔵庫本体内に埋設するので、取付け性が悪いという課題があった。
【００２１】
一方、電子式の扉開閉検知スイッチを用いた冷蔵庫は、扉開閉検知スイッチ自体が小型化されているが、磁石１２８を冷蔵庫の扉１２０ｂに取付け、電子スイッチ１２９を磁石１２８と対向する位置に正確に取付ける必要があり、取付け性が良いとはいえない。さらに、磁石１２８には磁気があるため、組み立て作業の際に磁石が密着する恐れがあり、作業効率が低下するという課題もあった。
【００２２】
また、電子式の扉開閉検知スイッチを用いた冷蔵庫は、磁石収納部１２７が扉１２０ｂの上部に突出して取付けられており、冷蔵庫の中段や下段の扉に取付けられている場合、扉を引き出した際に使用者の目に付きやすくなり、美観が低下するという課題もあった。
【００２３】
本発明は、上記従来の課題を解決するもので、貯蔵庫における扉開閉検知スイッチの配置スペースを減少し、さらに、従来の扉開閉検知スイッチでは検知することができなかったようなわずかな隙間や、パッキング材の破損等により、貯蔵庫の扉に生じる隙間を確実に検出して使用者に報知することができ、貯蔵庫が開扉のまま運転をすることにより起こる不具合等を防止するとともに、貯蔵庫全体の美観を損なうことのない貯蔵庫を実現することを目的とする。
【課題を解決するための手段】
【００２４】
上記従来の課題を解決するために、本発明の貯蔵庫は、貯蔵庫本体に、貯蔵室の開口部を開閉する扉の内側周囲に設けられたパッキング材と、前記パッキング材と対向する位置に設けられた光検出手段を具備し、前記光検出手段が感知する光により前記パッキング材の密閉状態を検知するようにしたものである。
【００２５】
これにより、光検出手段のみを用いて貯蔵庫の扉の密閉状態を検知することが可能となり、貯蔵庫の扉開閉検知スイッチの配置スペースを大幅に減少し、貯蔵庫の美観を損なうことも少なくなるものである。
【発明の効果】
【００２６】
本発明の貯蔵庫は、貯蔵庫の扉開閉検知スイッチの配置スペースを減少しながらも、検出力の高い扉開閉検知スイッチを設けているので、貯蔵庫の美観を損なわず、不具合の生じにくい貯蔵庫を提供することができる。
【発明を実施するための最良の形態】
【００２７】
請求項１に記載の発明は、複数の貯蔵室を有する貯蔵庫本体と、前記各貯蔵室の開口部を開閉する扉と、前記扉の内側周囲に設けられたパッキング材と、前記パッキング材と対向する位置に設けられた光検出手段を具備し、前記光検出手段が感知する光により前記パッキング材の密閉状態を検知するものである。
【００２８】
かかる構成とすることにより、扉の密閉状態を検知する機械的または電子式の扉開閉検知スイッチを用いた従来の検知方法よりも小型化が図れ、配置スペースを大幅に減少することができるとともに、光検出手段の配置の自由度がより高いものとなり、美観を損なうことのない貯蔵庫を提供することができる。
【００２９】
請求項２に記載の発明は、前記光検出手段を微弱な光にも反応するものとし、前記光検出手段により、前記扉の隙間を検知するものである。
【００３０】
かかる構成とすることにより、開扉だけでなく半ドアやパッキングに生じたわずかな隙間をも検知でき、貯蔵庫の扉の薄い隙間をも確実に検知することとなり、精度の高いセンサを設けた貯蔵庫を提供することができる。
【００３１】
請求項３に記載の発明は、前記光検出手段を、前記パッキング材と対向する前記貯蔵室の前面であって扉を開閉する際に手をかける取手位置近傍に設けたものである。
【００３２】
かかる構成とすることにより、貯蔵庫の扉を開閉する際に重心がずれたり、荷重がかかったりする等して、扉に最も隙間が生じ易い位置付近のパッキング材を中心に扉の密閉状態を検知する構成が得られ、パッキング材の不具合等をより早く見つけることができる。
【００３３】
請求項４に記載の発明は、前記貯蔵庫本体に、前記貯蔵室内を照明する庫内灯および庫内ファンを設け、前記光検出手段の光検知により前記庫内灯および前記庫内ファンの運転を停止するものである。
【００３４】
かかる構成とすることにより、前記貯蔵庫の扉に隙間が生じているにもかかわらず貯蔵庫を運転してしまう等の不備をなくすことができ、貯蔵庫の扉の開閉状態に沿った運転を行うことで貯蔵庫の省エネ性を向上することができる。
【００３５】
請求項５に記載の発明は、前記光検出手段の反応状態を監視する監視手段および報知手段を備え、前記光検出手段が光を感知した状態が一定時間経過すると前記監視手段により前記報知手段を動作させるものである。
【００３６】
かかる構成とすることにより、扉の開放や隙間の状態を前記報知手段によって報知することにより、貯蔵庫の扉が開いた状態や扉に隙間が生じた状態で放置されることを防止でき、貯蔵庫の庫内温度変化や効率低下等の不具合が発生するのを防止できる。その結果、貯蔵庫の省エネ性を向上するとともに、寿命の長い貯蔵庫を提供することができる。
【００３７】
請求項６に記載の発明は、前記監視手段により、前記光検出手段が感知した光の強さが一定以上の扉開放状態と、前記光検出手段が反応した光の強さが一定以下の扉隙間形成状態を判断し、前記それぞれの状態に応じて前記報知手段の動作を異ならせたものである。
【００３８】
かかる構成とすることにより、貯蔵庫の扉が開放状態であるか、それとも、隙間がある状態であるかを区別して報知することができるので、扉の状態にあった対応を行うことができることとなり、貯蔵庫の省エネ性を向上するとともに、寿命の長い貯蔵庫を提供することができる。
【００３９】
請求項７に記載の発明は、前記光検出手段が感知した信号を無線で送信する送信手段を具備したものである。
【００４０】
かかる構成とすることにより、光検出手段が感知した信号を無線で送信することができるので、配線の引き回し等を考慮することなく光検出手段を任意の箇所に配置することができる。
【００４１】
以下、本発明の貯蔵庫について、冷蔵庫に採用した構成を例に図面を参照しながら説明する。なお、この実施の形態によってこの発明が限定されるものではなく、その趣旨を逸脱しない範囲でさまざまな変更が可能である。
【００４２】
（実施の形態１）
図１は本発明の実施の形態１における冷蔵庫の一部を切欠いた斜視図である。図２は図１のＡ−Ａ線による要部断面図である。図３は同実施の形態１における冷蔵庫の機能ブロック図である。図４は同実施の形態１における冷蔵庫の光検出手段による検知制御内容を示すフローチャートである。図５は図４の動作を示すタイムチャートである。
【００４３】
図１、図２において、冷蔵庫本体１は、外箱２、内箱３、外箱２と内箱３の間に充填された断熱材４によって一体に構成されており、その内部は、仕切り壁５により複数の断熱された貯蔵区画に区分されることで、冷蔵室、切替え室、野菜室、冷凍室等の貯蔵室６ａ、６ｂ、６ｃ、６ｄを構成している。
【００４４】
各貯蔵室６ａ、６ｂ、６ｃ、６ｄには、それぞれ断熱された扉７ａ、７ｂ、７ｃ、７ｄが設けられており、上から回転式開閉扉７ａ、引出式開閉扉７ｂ、７ｃ、７ｄとなっている。回転式開閉扉７ａの裏面には、扉ポケット（図示せず）が収納として設けられており、また、貯蔵室６ａ内には複数の収納棚（図示せず）が取り外し自在に設けられている。
【００４５】
回転式開閉扉７ａは、ヒンジ８に取付けられた支軸を回転軸として回転することにより、貯蔵室６ａを開閉できるよう構成されており、また、引出式開閉扉７ｂ、７ｃ、７ｄは、当該扉７ｂ、７ｃ、７ｄを摺動可能にするレール９と連結されており、ローラー１０によって貯蔵室６ｂ、６ｃ、６ｄを前後方向に引き出せるように構成されている。
【００４６】
各扉７ａ、７ｂ、７ｃ、７ｄにおける冷蔵庫本体１側の面の全周には、冷蔵庫内の冷気漏れを防止するためのパッキング材１１が取付けられている。このパッキング材１１は、ゴム等の弾性変形可能な材料から形成されており、内部にはマグネット１２が収納されている。
【００４７】
パッキング材１１と対向する貯蔵室６ａ、６ｂ、６ｃ、６ｄの開口部前面には、着磁性の金属部材と各室に対応して設けられたそれぞれの光検出手段１３ａ、１３ｂ、１３ｃ、１３ｄが、パッキング材１１の所定の位置と対向するように設けられている。
【００４８】
前記各室の光検出手段１３ａ、１３ｂ、１３ｃ、１３ｄは、それぞれのプリント基板１４ａ、１４ｂ、１４ｃ、１４ｄに対応する配線が取付けられており、それぞれのプリント基板１４ａ、１４ｂ、１４ｃ、１４ｄは、それぞれのコネクタ１５ａ、１５ｂ、１５ｃ、１５ｄを介して制御部１８に配線されている。
【００４９】
前記各室の光検出手段１３ａ、１３ｂ、１３ｃ、１３ｄおよびそれぞれのプリント基板１４ａ、１４ｂ、１４ｃ、１４ｄは、共に収納箱１６に支持収納され、各扉７ａ、７ｂ、７ｃ、７ｄの取手１７（図２）位置近傍のパッキング材１１に埋設されたマグネット１２と対向する位置に設けられている。一例の構成として、冷蔵庫本体１の前面や仕切り壁５の前面に設けた凹部にその収納箱１６が嵌め込み固定される構成となっている。
【００５０】
つまり、各室の光検出手段１３ａ、１３ｂ、１３ｃ、１３ｄは、図１に示す如く回転式開閉扉７ａの場合は、使用者の使いやすいように取手１７ａが扉下方に設けてあるので、扉７ａの下方のパッキング材１１と対向する位置に、また、引出式開閉扉７ｂ、７ｃ、７ｄの場合は、使用者の使いやすいように取手１７ｂ、１７ｃ、１７ｄが扉上方に設けてあるので、扉７ｂ、７ｃ、７ｄの上方のパッキング材１１と対向する位置に設けた凹部に嵌め込み固定されている。
【００５１】
なお、断熱材４の断熱表面もおける主要な平面部には、真空断熱材が配設してある。
【００５２】
また、冷蔵庫内部には機械室（図示せず）が設けられており、この機械室には、冷凍サイクルの構成機器である圧縮機（図示せず）と凝縮器（図示せず）が空気を通風する送風機（図示せず）と共に配置されている。また、冷凍サイクルの構成機器である蒸発器（図示せず）は、貯蔵室の後背部に冷却ファン（図示せず）と共に配設されている。
【００５３】
以上のように構成された冷蔵庫について、図１、図２および図３を用いて以下その動作、作用を説明する。
【００５４】
庫内の設定温度に応じて制御装置からの信号により冷凍サイクルが動作して冷却運転が行われる。したがって、圧縮機の動作により吐出された高温高圧の冷媒は、凝縮器にて放熱されて液化し、その後、熱交換しながら減圧されて低温低圧の液冷媒となり、蒸発器に至る。この蒸発器では、冷却ファンにより庫内の空気と熱交換され、蒸発器内の冷媒が蒸発気化する。その際発生する低温の冷気をダンパ（図示せず）等で分配し、各貯蔵室６ａ、６ｂ、６ｃ、６ｄの冷却を行う。
【００５５】
そして、前記蒸発器を出た冷媒は、圧縮機へと吸い込まれ、以下上述の動作を繰り返す。このような運転を繰り返す事により、圧縮機や凝縮器は高温となり、庫内各貯蔵室６ａ、６ｂ、６ｃ、６ｄは冷却され、低温となる。
【００５６】
この時の温度の低下は、断熱箱体の断熱性能により決まる。一般的に冷蔵庫で使用されている硬質ウレタンフォームと比べ、真空断熱材は断熱性能が５倍から１０倍に向上するので、壁厚を増加させることなく、温度の侵入を防止することができるので冷蔵庫の省エネ性を向上することができる。さらに、真空断熱材は薄く、平板状であり、平面度が高いため、薄壁断熱壁を有する断熱箱体への適用が容易となり、冷蔵庫の内容積の拡大に有利となっている。
【００５７】
この断熱性能の高い各貯蔵室６ａ、６ｂ、６ｃ、６ｄの冷気を、扉７ａ、７ｂ、７ｃ、７ｄから逃がすことがないよう、パッキング材１１内部のマグネット１２とパッキング材１１と対向する貯蔵室６ａ、６ｂ、６ｃ、６ｄの開口部前面の着磁性の金属部材の作用により、シール性が確保される。
【００５８】
具体的には、マグネット１２の吸着作用によって、貯蔵室６ａ、６ｂ、６ｃ、６ｄの開口部前面に扉７ａ、７ｂ、７ｃ、７ｄが若干押圧された状態で密着して冷蔵庫本体１内の機密を保つようになっている。
【００５９】
そして、貯蔵室６ａ、６ｂ、６ｃ、６ｄの各扉７ａ、７ｂ、７ｃ、７ｄを閉めた際は、前述の吸着作用によってパッキング材１１が各室の光検出手段１３ａ、１３ｂ、１３ｃ、１３ｄの光検出面前面に亘ってそれぞれ密着した状態となり、その結果、各室の光検出手段１３ａ、１３ｂ、１３ｃ、１３ｄそれぞれは、光を感知することができなくなり、オフ信号が制御部１８へ伝えられる。
【００６０】
また、貯蔵室６ａ、６ｂ、６ｃ、６ｄのいずれかの扉７ａ、７ｂ、７ｃ、７ｄを開けた際は、パッキング材１１が各室の開扉に対応する光検出手段１３ａ、１３ｂ、１３ｃ、１３ｄから離れた状態となるので、開扉に対応する光検出手段１３ａ、１３ｂ、１３ｃ、１３ｄは光を感知し、オン信号が制御部１８へと伝えられる。
【００６１】
このオン／オフ信号に基づき制御部１８は扉７ａ、７ｂ、７ｃ、７ｄの開閉状態を検知して、扉７ａ、７ｂ、７ｃ、７ｄが開いている際には庫内灯を含むスイッチオン時の運転を行い、扉７ａ、７ｂ、７ｃ、７ｄが閉じている際には、庫内灯を含むスイッチオフ時の運転を行う。
【００６２】
また、この各室の光検出手段１３ａ、１３ｂ、１３ｃ、１３ｄそれぞれを微弱な光にも反応するようにその検出精度を設定することにより、扉７ａ、７ｂ、７ｃ、７ｄの半ドア状態、および扉７ａ、７ｂ、７ｃ、７ｄのパッキング材１１にわずかな隙間が生じた状態を検知することができる。
【００６３】
前記各室の光検出手段１３ａ、１３ｂ、１３ｃ、１３ｄそれぞれは、パッキング材１１と対向する位置であればどこに設置しても良いが、回転式開閉扉７ａ、引出し式開閉扉７ｂ、７ｃ、７ｄそれぞれの特性に応じた位置に取付けることが好ましい。
【００６４】
例えば、回転式開閉扉７ａは、開閉する際に、扉７ａの下方に設けた取手１７ａを持って開けるため、開閉操作の連続で重心がずれてしまい、扉７ａの下方に隙間が発生し易くなる。また、引出し式開閉扉７ｂ、７ｃ、７ｄは、引き出すと収納されている食品の荷重がレールに掛かり、扉７ｂ、７ｃ、７ｄの上部に隙間が発生し易くなる。
【００６５】
かかることから、扉７ａ、７ｂ、７ｃ、７ｄの各取手１７ａ、１７ｂ、１７ｃ、１７ｄの位置近傍に各室の光検出手段１３ａ、１３ｂ、１３ｃ、１３ｄを設けることで、隙間が最も生じやすい部分を中心に扉７ａ、７ｂ、７ｃ、７ｄの開閉状態やパッキング１１の隙間状態を検知でき、パッキング材１１の不具合をより早く見つけることができる。
【００６６】
このように各室に光検出手段１３ａ、１３ｂ、１３ｃ、１３ｄを用いて貯蔵室６ａ、６ｂ、６ｃ、６ｄの扉の密閉状態を検知することで、各扉７ａ、７ｂ、７ｃ、７ｄの開閉の検知に用いる従来の扉開閉検知スイッチを小型化できる。
【００６７】
その結果、冷蔵庫の扉７ａ、７ｂ、７ｃ、７ｄを開けた際に、扉開閉検知スイッチが使用者の目に付きにくくなり、冷蔵庫の美観を損なうことがない冷蔵庫を提供することができる。さらに、各室の光検出手段１３ａ、１３ｂ、１３ｃ、１３ｄそれぞれを収納した収納箱１６を、冷蔵庫本体１の前面や仕切り壁５の前面の凹部に嵌め込むことで、各室の光検出手段１３ａ、１３ｂ、１３ｃ、１３ｄそれぞれを取付けることができ、光検出手段１３ａ、１３ｂ、１３ｃ、１３ｄの取付けおよび取り外しが容易でメンテナンスの際の作業効率が良いものとなる。
【００６８】
なお、本実施の形態１における扉の取付け構造、数量、配置や形状等は適宜変更してもよい。
【００６９】
次に、図３、図４および図５を用いて、本実施の形態１における冷蔵庫の機能および光検出手段の検知フロー、およびその動作を詳しく説明する。
【００７０】
図３において、本実施の形態１の冷蔵庫は、各室の光検出手段１３ａ、１３ｂ、１３ｃ、１３ｄそれぞれからの光の状態を、アナログ信号もしくはデジタル信号に変換して制御部１８へ出力を行う。制御部１８は、監視手段に相当するもので、光検出手段１３ａ、１３ｂ、１３ｃ、１３ｄそれぞれから出力された信号を判断する機能を有し、各室の光検出手段１３ａ、１３ｂ、１３ｃ、１３ｄからの信号がある一定以上であるかを判定して、各室の光検出手段１３ａ、１３ｂ、１３ｃ、１３ｄのいずれかの出力信号の変化状態がないか監視を行う。
【００７１】
また、ここで、各室の光検出手段１３ａ、１３ｂ、１３ｃ、１３ｄそれぞれからの信号の判断基準として、電圧値もしくは電流値のいずれかもしくは両方の値で判断を行う構成となっている。かかる回路構成は、周知の構成でよいため、詳細な説明を省略する。
【００７２】
制御部１８にて、各室の光検出手段１３ａ、１３ｂ、１３ｃ、１３ｄのいずれかの信号がある一定未満であれば、冷蔵庫本体１の扉７ａ、７ｂ、７ｃ、７ｄのそれぞれが閉じた状態と判断する。その結果、冷蔵庫本体１の庫内灯２１が消灯状態となり、庫内ファン１９が運転状態となり、報知手段２０を停止状態とさせ、タイマー２２を初期化する。
【００７３】
また、制御部１８にて、各室の光検出手段１３ａ、１３ｂ、１３ｃ、１３ｄのいずれかの信号がある一定以上であれば、冷蔵庫本体１の扉７ａ、７ｂ、７ｃ、７ｄのいずれかが開いた状態にあると判断し、冷蔵庫本体１の庫内灯２１が点灯状態となり、庫内ファン１９が停止状態となり、タイマー２２にて、冷蔵庫本体１の扉７ａ、７ｂ、７ｃ、７ｄのいずれかが開いた状態の時間間隔が所定時間以上であるかを判断する。
【００７４】
タイマー２２にて、冷蔵庫本体１の扉７ａ、７ｂ、７ｃ、７ｄのいずれかが開いた状態で所定時間未満であれば、制御部１８にて、各室の光検出手段１３ａ、１３ｂ、１３ｃ、１３ｄのいずれかの信号状態を監視する。
【００７５】
また、タイマー２２にて、冷蔵庫本体１の扉７ａ、７ｂ、７ｃ、７ｄのいずれかが開いた状態で所定時間経過すれば、報知手段２０により、ユーザーへ、冷蔵庫本体１の扉７ａ、７ｂ、７ｃ、７ｄのいずれかが開いた状態であることを知らせる。なお、この報知手段２０は、音、音声、光の点灯や点滅等のいずれかで知らせることができる。
【００７６】
次に、冷蔵庫の光検出手段１３ａ、１３ｂ、１３ｃ、１３ｄの扉開放検知および不完全閉扉に伴う隙間検知の動作について、図４のフローチャートおよび図５のタイムチャートで説明する。
【００７７】
扉７ａ、７ｂ、７ｃ、７ｄいずれかが開いた状態になると、それに対応する光検出手段１３ａ、１３ｂ、１３ｃ、１３ｄが周囲の照度を検出する。
【００７８】
ここで、光検出手段１３ａ、１３ｂ、１３ｃ、１３ｄは、例えば、光導電方素子であるＣｄｓセル（硫化カドムウムセル）等を用いたもので、入射光量に応じて信号を出力する照度センサ等を用いた場合として説明を続ける。
【００７９】
前記扉の開放に伴う光検出手段１３ａ、１３ｂ、１３ｃ、１３ｄの出力信号は、制御部１８へ入力され、予め記憶されている設定照度Ｓ０と比較される（ＳＴＥＰ１）。ここでは、図５の光検知手段に示すように、検出値が設定照度Ｓ０以上の場合は扉開領域にあり、検出値が設定照度Ｓ１（Ｓ０＞Ｓ１）以下の場合は閉扉領域にあり、検出値が設定値Ｓ０と設定値Ｓ１の間にある場合は、パッキング材１１との隙間から光が検出できる扉隙状態にあることを判定する。
【００８０】
特に上記扉隙領域の判定は、図５のドア開閉に示すように、一般に閉扉状態におかれている場合で判定されるものである。
【００８１】
この場合は、いずれかの扉（例えば扉７ｂ）が開放されたため、処理はＳＴＥＰ２へ移行し、タイマー２２が作動する。そして、扉開放に伴う庫内動作が行われ、庫内灯２１の点灯（ＳＴＥＰ３）、庫内ファン１９の停止（ＳＴＥＰ４）の処理動作が行われる。この内容は、図５の庫内灯、ファン回転数に示すとおりである。
【００８２】
そして、タイマー２２による所定時間の経過が確認され（ＳＴＥＰ５）、ここでの時間経過が確認されるまでは、ＳＴＥＰ１に戻り、以下、上述の動作が継続される。
【００８３】
さらに、扉７ｂの開放が継続し、タイマー２２に設定された時間が経過すると、ＳＴＥＰ５からＳＴＥＰ６に移行し、報知手段２０が動作してユーザーに閉扉を促す。
【００８４】
タイマー２２に設定された所定時間内に、もしくは、前述の報知手段２０による促しによって扉７ｂが閉塞されると、ＳＴＥＰ１において光検出手段１３ｂによる信号がないため、ＳＴＥＰ７に移行する。
【００８５】
ＳＴＥＰ７では、光検知手段１３ａ、１３ｂ、１３ｃ、１３ｄによる照度検出が行われる。ここでの検出値Ｓ１は、ＳＴＥＰ１での検出値Ｓ０との関係において、Ｓ０＞Ｓ１に設定されており、さらに微弱な光を検出する。
【００８６】
前述の閉扉が完全な状態であると、ＳＴＥＰ７からＳＴＥＰ８へ移行し、冷蔵庫における閉扉時の動作が行われる。すなわち、庫内灯２１の消灯（ＳＴＥＰ８）、庫内ファン１９の運転（ＳＴＥＰ９）、前述の報知手段２０の停止（ＳＴＥＰ１０）が順次実行される。これらの内容は、図５の庫内灯、ファン回転数に示すとおりである。
【００８７】
そして、最後にタイマー２２を初期化（ＳＴＥＰ１１）してＳＴＥＰ１に戻り、以降扉の開閉を検出するまでＳＴＥＰ１からＳＴＥＰ７へ移行する処理を継続する。
【００８８】
上述の動作において、例えば扉７ａ、７ｂ、７ｃ、７ｄのいずれかが半ドア状態で、ＳＴＥＰ１において設定照度Ｓ０以上の照度を検出する状態であれば、ＳＴＥＰ２以降の動作が行われるものである。
【００８９】
次に、閉扉状態において、ビニルシート等の薄物の噛み込み等により、パッキング材１１と貯蔵室（例えば貯蔵室６ｂ）の扉７ｂとの間に、光検出手段（例えば光検出手段１３ｂ）が光を検出する程度の微小な隙間が生じた状態では、ＳＴＥＰ７での処理が異なり、ＳＴＥＰ１２へ移行する。
【００９０】
すなわち、図５の光検知手段において示す扉隙状態であって、ＳＴＥＰ１では照度が極めて低い値（設定値Ｓ０以下）であるため閉扉と判断しているが、ＳＴＥＰ７では、その照度を設定値Ｓ１以上と判断している場合である。かかる場合は、ＳＴＥＰ１２へ移行して報知手段２０を動作させ、その旨をユーザーに報知する。必要に応じて、ＳＴＥＰ１２の実行前に、光検出手段１３ｂの検出時間が所定時間（例えば、数秒）継続したときにＳＴＥＰ１２を実行するようにしてもよい。
【００９１】
このＳＴＥＰ１２での報知内容は、例えば、音声にて再度確実な閉扉を促す案内を行う等、ＳＴＥＰ６と異なる内容としても良い。
【００９２】
かかる報知は、薄物の噛み込み以外に、パッキング材１１の変形等に起因する隙間についても同様に報知でき、保守、交換等を促すこともできるものである。
【００９３】
したがって、開扉のまま冷蔵庫を放置し、運転してしまうことが防止でき、庫内温度の上昇や効率の低下、また、異常着霜等の不具合の発生も防止できる。
【００９４】
また、光検知手段１３ａ、１３ｂ、１３ｃ、１３ｄによる照度判定を二段に設定している理由は、ＳＴＥＰ１で設定照度Ｓ０を設定照度Ｓ１とした場合、パッキング材１１との隙間が発生した状態は、タイマー２２の設定時間（例えば５分）が経過しない限り報知されないことになる。
【００９５】
通常、貯蔵物の出し入れで連続して長時間扉の開放が行われると、貯蔵室内の温度が異常に上昇し、貯蔵室内部の貯蔵物の品質に影響が生じる。かかることから、タイマー２２のよる設定時間は、その限界としてユーザーに閉扉を促すものである。
【００９６】
したがって、ＳＴＥＰ１で設定照度をＳ１とした場合は、そのタイマー２２が動作完了となるまでの間にユーザーは「閉扉」と認識してその場を離れることがあるため、速やかに扉隙状態であることを報知することが望ましいからである。すなわち、閉扉状態にされると、ＳＴＥＰ１の判断が直ちにＳＴＥＰ７へ移行するため、扉隙を速やかに検知でき、ユーザーに不完全閉扉を知らせることができるものである。
【００９７】
なお、前述の如くＳＴＥＰ１２の前にタイマーを設ける場合は、上述の「速やかな報知」を考慮した設定時間が好ましい。
【００９８】
また、前記報知の方法は、ユーザーが扉７ａ、７ｂ、７ｃ、７ｄの状態を気付くことができる内容であれば光等、他の手段であってもよい。
【００９９】
（実施の形態２）
図６は本発明の実施の形態２における冷蔵庫の機能ブロック図である。先の実施の形態１においては、光検知手段１３ａ、１３ｂ、１３ｃ、１３ｄを冷蔵庫本体１に設けた構成としたが、本実施の形態２においては、光検知手段２３ａ、２３ｂ、２３ｃ、２３ｄをそれぞれの扉７ａ、７ｂ、７ｃ、７ｄ側に設けた点で相違する。なお、先の実施の形態１と同様の機能を果たす構成要件については、同一の番号を付して説明する。
【０１００】
まず、冷蔵庫の構成においては、冷蔵庫本体１の前面、あるいは仕切り壁５の前面にパッキング材１１を設け、扉７ａ、７ｂ、７ｃ、７ｄにおけるパッキング材１１と対向する位置に、先の実施の形態１で説明した照度センサ等で代表される光検出手段２３ａ、２３ｂ、２３ｃ、２３ｄを取付けた構成としている。
【０１０１】
そして、制御構成については、図６に示すように、光検出手段２３ａ、２３ｂ、２３ｃ、２３ｄと対を成す無線式の送信手段２４ａ、２４ｂ、２４ｃ、２４ｄをそれぞれの扉７ａ、７ｂ、７ｃ、７ｄに設け、一方、冷蔵庫本体１には、送信手段２４ａ、２４ｂ、２４ｃ、２４ｄからの検出送信信号を受信するアンテナ２５等を具備した受信部２６と、受信部２６の受信信号を基に、庫内ファン１９、報知手段２０、庫内灯２１等の運転を制御する制御部１８を設けた構成となっている。
【０１０２】
そして、扉７ａ、７ｂ、７ｃ、７ｄの開閉検知と、閉扉状態における扉隙の検知は、先の実施の形態１と同様に光検知手段２３ａ、２３ｂ、２３ｃ、２３ｄによって行われ、その検出信号は、送信手段２４ａ、２４ｂ、２４ｃ、２４ｄによってアンテナ２５、受信部２６を介して制御部１８へ取込まれるものである。
【０１０３】
制御部１８における開扉時、閉扉時、および扉隙状態での処理（制御）内容は、図４と同様であるため、説明を省略する。
【０１０４】
したがって、かかる構成においても、光検知手段２３ａ、２３ｂ、２３ｃ、２３ｄによって、扉７ａ、７ｂ、７ｃ、７ｄの開閉と、閉扉状態における扉隙を検知し、その結果を、無線媒体を通じて制御部１８へ送信するため、制御のための配線引き回しが簡素化でき、また無線式であるため、光検知手段２３ａ、２３ｂ、２３ｃ、２３ｄの取付け箇所も最適な箇所に選択できるものである。
【産業上の利用可能性】
【０１０５】
以上のように、本発明の貯蔵庫は、断熱された貯蔵庫の扉の密閉状態を、光検出手段を用いて判断するものであり、冷蔵庫、冷凍庫、製氷機、高温庫、高湿庫、ショーケース等の温熱庫やその他常温保存庫等、扉を具備した貯蔵庫に広く適用できる。また、貯蔵品も食品に限定されず、他の物品とした場合でも同様に適用できるものである。
【図面の簡単な説明】
【０１０６】
【図１】本発明の実施の形態１における冷蔵庫の一部を切欠いた斜視図
【図２】図１のＡ−Ａ線による要部断面図
【図３】同実施の形態１における冷蔵庫の機能ブロック図
【図４】同実施の形態１における冷蔵庫の光検出手段による検知フローチャート
【図５】同実施の形態１における冷蔵庫の光検知動作に伴う主要部の動作内容を示すタイムチャート
【図６】本発明の実施の形態２における冷蔵庫の機能ブロック図
【図７】従来例を示す冷蔵庫の要部断面図
【図８】同従来例を示す冷蔵庫における扉開閉検知スイッチの縦断面図
【図９】異なる従来例を示す冷蔵庫の要部断面図
【符号の説明】
【０１０７】
１    貯蔵庫本体
６ａ  貯蔵室
６ｂ  貯蔵室
６ｃ  貯蔵室
６ｄ  貯蔵室
７ａ  扉
７ｂ  扉
７ｃ  扉
７ｄ  扉
１１  パッキング材
１３ａ  光検出手段
１３ｂ  光検出手段
１３ｃ  光検出手段
１３ｄ  光検出手段
１８  制御部（監視手段）
１９  庫内ファン
２０  報知手段
２１  庫内灯
２２  タイマー
２３ａ  光検知手段
２３ｂ  光検知手段
２３ｃ  光検知手段
２３ｄ  光検知手段
２４ａ  送信手段
２４ｂ  送信手段
２４ｃ  送信手段
２４ｄ  送信手段
【図１】
2008070002.tif 000003
【図２】
2008070002.tif 000004
【図３】
2008070002.tif 000005
【図４】
2008070002.tif 000006
【図５】
2008070002.tif 000007
【図６】
2008070002.tif 000008
【図７】
2008070002.tif 000009
【図８】
2008070002.tif 000010
【図９】
2008070002.tif 000011